(57)【特許請求の範囲】
【請求項１】
インタネットに接続可能な撮像装置において、
動画像を撮像する撮像手段と、
撮像された前記動画像を記憶する記憶手段と、
記憶された前記動画像を再生する再生手段と、
所定の画面を構成するHTMLファイルを保管する保管手段と、
他の電子装置が出力したコマンドを前記インタネットを介して受信する受信手段と、
受信された第１のコマンドに対応して、保管されている前記HTMLファイルを前記インタネットを介して前記他の電子装置に送信する送信手段と、
送信された前記HTMLファイルに応じて前記電子装置が出力する第２のコマンドに対応し、前記撮像手段を制御して前記動画像の撮像を開始させるか、または前記再生手段を制御して記録されている前記動画像の再生を開始させる制御手段と、
撮像開始の結果得られる前記動画像、または再生開始の結果得られる前記動画像を、前記インタネットに対応してパケット化するパケット化手段と、
パケット化された前記動画像を前記インタネットを介して前記他の電子装置に供給する供給手段と
を含む撮像装置。
【請求項２】
前記インタネットの通信状態を調査する調査手段と、
調査された前記インタネットの通信状態に対応した圧縮率で、撮像開始の結果得られる前記動画像、または再生開始の結果得られる前記動画像を圧縮符号化する符号化手段と
をさらに含み、
前記パケット化手段は、撮像開始の結果得られる前記動画像、または再生開始の結果得られる前記動画像が圧縮符号化された後に、前記インタネットに対応してパケット化する  請求項１に記載の撮像装置。
【請求項３】
前記制御手段は、調査された前記インタネットの通信状態に対応して、前記再生手段の再生速度を制御する
請求項２に記載の撮像装置。
【請求項４】
動画像を撮像する撮像手段と、
撮像された前記動画像を記憶する記憶手段と、
記憶された前記動画像を再生する再生手段と、
所定の画面を構成するHTMLファイルを保管する保管手段と、
他の電子装置が出力したコマンドを前記インタネットを介して受信する受信手段と
を備え、
インタネットに接続可能な撮像装置の撮像方法において、
受信された第１のコマンドに対応して、保管されている前記HTMLファイルを前記インタネットを介して前記他の電子装置に送信する送信ステップと、
送信された前記HTMLファイルに応じて前記電子装置が出力する第２のコマンドに対応し、前記撮像手段を制御して前記動画像の撮像を開始させるか、または前記再生手段を制御して記録されている前記動画像の再生を開始させる制御ステップと、
撮像開始の結果得られる前記動画像、または再生開始の結果得られる前記動画像を、前記インタネットに対応してパケット化するパケット化ステップと、
パケット化された前記動画像を前記インタネットを介して前記他の電子装置に供給する供給ステップと
を含む撮像方法。
【請求項５】
動画像を撮像する撮像手段と、
撮像された前記動画像を記憶する記憶手段と、
記憶された前記動画像を再生する再生手段と、
所定の画面を構成するHTMLファイルを保管する保管手段と、
他の電子装置が出力したコマンドを前記インタネットを介して受信する受信手段と
を備え、
インタネットに接続可能な撮像装置の制御用のプログラムであって、
受信された第１のコマンドに対応して、保管されている前記HTMLファイルを前記インタネットを介して前記他の電子装置に送信する送信ステップと、
送信された前記HTMLファイルに応じて前記電子装置が出力する第２のコマンドに対応し、前記撮像手段を制御して前記動画像の撮像を開始させるか、または前記再生手段を制御して記録されている前記動画像の再生を開始させる制御ステップと、
撮像開始の結果得られる前記動画像、または再生開始の結果得られる前記動画像を、前記インタネットに対応してパケット化するパケット化ステップと、
パケット化された前記動画像を前記インタネットを介して前記他の電子装置に供給する供給ステップと
を含む処理を撮像装置のコンピュータに実行させるプログラムが記録されている記録媒体。
【発明の詳細な説明】
【０００１】
【発明の属する技術分野】
本発明は、撮像装置および方法、並びに記録媒体に関し、特に、インターネットを介してストリーム再生可能な動画像データを送信する場合に用いて好適な撮像装置および方法、並びに記録媒体に関する。
【０００２】
【従来の技術】
従来、デジタルビデオカメラ（以下、DVカメラと記述する）で撮像した動画像を、インタネット上に開設したホームページ等で公開するストリーミング再生可能なデータに変換するためには、DVカメラで撮像した動画像（DVデータ）を、例えば、IEEE1394バスを介してパーソナルコンピュータ（以下、パソコンと記述する）に取り込み、ストリーミング再生可能な所定のデータ形式に変換する必要がある。
【０００３】
【発明が解決しようとする課題】
ところで、パソコンに取り込んだDVデータをストリーミング再生可能な所定のデータ形式に変換するためには、専用のアプリケーションプログラムに対して適切な操作を実行する必要があり、その操作が困難である課題があった。
【０００４】
また、所定のデータ形式に変換された動画像データをホームページ上で公開するためには、当該動画像データをホームページのHTML(Hyper Text Markup Language)ファイル等を管理するWWW(World Wide Web)サーバをインタネット上に設ける必要がある課題があった。
【０００５】
本発明はこのような状況に鑑みてなされたものであり、DVカメラをネットワーク上のWWWサーバとして機能させることができるようにするものである。
【０００６】
【課題を解決するための手段】
本発明の撮像装置は、動画像を撮像する撮像手段と、撮像された動画像を記憶する記憶手段と、記憶された動画像を再生する再生手段と、所定の画面を構成するHTMLファイルを保管する保管手段と、他の電子装置が出力したコマンドをインタネットを介して受信する受信手段と、受信された第１のコマンドに対応して、保管されているHTMLファイルをインタネットを介して他の電子装置に送信する送信手段と、送信されたHTMLファイルに応じて電子装置が出力する第２のコマンドに対応し、撮像手段を制御して動画像の撮像を開始させるか、または再生手段を制御して記録されている動画像の再生を開始させる制御手段と、撮像開始の結果得られる動画像、または再生開始の結果得られる動画像を、インタネットに対応してパケット化するパケット化手段と、パケット化された動画像をインタネットを介して他の電子装置に供給する供給手段とを含む。
【０００７】
本発明の撮像装置は、インタネットの通信状態を調査する調査手段と、調査されたインタネットの通信状態に対応した圧縮率で、撮像開始の結果得られる動画像、または再生開始の結果得られる動画像を圧縮符号化する符号化手段とをさらに含むことができ、前記パケット化手段は、撮像開始の結果得られる動画像、または再生開始の結果得られる動画像が圧縮符号化された後に、インタネットに対応してパケット化するようにすることができる。
【０００８】
前記制御手段は、調査されたインタネットの通信状態に対応して、再生手段の再生速度を制御するようにすることができる。
【０００９】
本発明の撮像方法は、受信された第１のコマンドに対応して、保管されているHTMLファイルをインタネットを介して他の電子装置に送信する送信ステップと、送信されたHTMLファイルに応じて電子装置が出力する第２のコマンドに対応し、撮像手段を制御して動画像の撮像を開始させるか、または再生手段を制御して記録されている動画像の再生を開始させる制御ステップと、撮像開始の結果得られる動画像、または再生開始の結果得られる動画像を、インタネットに対応してパケット化するパケット化ステップと、パケット化された動画像をインタネットを介して他の電子装置に供給する供給ステップとを含む。
【００１０】
本発明の記録媒体は、受信された第１のコマンドに対応して、保管されているHTMLファイルをインタネットを介して他の電子装置に送信する送信ステップと、送信されたHTMLファイルに応じて電子装置が出力する第２のコマンドに対応し、撮像手段を制御して動画像の撮像を開始させるか、または再生手段を制御して記録されている動画像の再生を開始させる制御ステップと、撮像開始の結果得られる動画像、または再生開始の結果得られる動画像を、インタネットに対応してパケット化するパケット化ステップと、パケット化された動画像をインタネットを介して他の電子装置に供給する供給ステップとを含む処理を撮像装置のコンピュータに実行させるプログラムが記録されている。
【００１１】
本発明においては、受信された第１のコマンドに対応して、保管されているHTMLファイルがインタネットを介して他の電子装置に送信され、送信されたHTMLファイルに応じて電子装置が出力する第２のコマンドに対応し、撮像手段が制御されて動画像の撮像が開始されるか、または再生手段が制御されて記録されている動画像の再生が開始され、撮像開始の結果得られる動画像、または再生開始の結果得られる動画像が、インタネットに対応してパケット化され、パケット化された動画像がインタネットを介して他の電子装置に供給される。
【００１２】
【発明の実施の形態】
本発明を適用したDVカメラ１は、図１に示すようにインタネットに代表されるネットワーク２を介して、パソコン３−１乃至３−３（以下、パソコン３−１乃至３−３を個々に区別する必要がない場合、単にパソコン３と記述する）と接続される。DVカメラ１は、撮像した動画像を記録して再生するとともに、WWWサーバとして機能する。パソコン３では、内蔵するハードディスク等に記録されているWWWブラウザプログラムがRAMにロードされ、そのプログラムがCPUによって実行される。これにより、パソコン３は、WWWサーバとしてのDVカメラ１にアクセスし、HTMLファイルを取得して、対応するホームページの画像をディスプレイに表示する。
【００１３】
図２は、DVカメラ１の第１の構成例を示している。撮像部１１は、被写体を撮像し、その動画像の光情報を電気信号（動画像信号）に変換してDVエンコーダ１２、およびNTSC変換部１７に出力する。DVエンコーダ１２は、撮像部１１から入力される動画像信号をDVフォーマットにエンコードし、得られたDV信号を記録再生部１４、およびIPパケット生成分離部９に出力する。制御部１３は、ユーザまたはWWWサーバ処理部２１から入力される操作コマンドに基づいて、DVカメラ１の全体を制御する。記録再生部１４は、DVエンコーダ１２から入力されるDVデータをDVカセットテープ１５に記録する。記録再生部１４はまた、DVカセットテープ１５に記録されているDVデータを再生してDVデコーダ１６およびIPパケット生成分離部１９に出力する。
【００１４】
DVデコーダ１６は、記録再生部１４から入力されるDVデータをデコードして、得られた画像信号をNTSC変換部１７に出力する。NTSC変換部１７は、撮像部１１またはDVデコーダ１６から入力される画像信号をNTSC信号に変換して液晶ディスプレイ(LCD)１８に出力する。液晶ディスプレイ１８は、NTSC変換部１７から入力されるNTSC信号に対応する画像を表示する。
【００１５】
IPパケット生成分離部１９は、DVエンコーダ１２から入力されるDV信号、記録再生部１４から入力されるDV信号、またはWWWサーバ処理部２１から入力されるHTMLファイルをIPパケット化してIEEE1394インタフェース(I/F)２０に出力する。IPパケット生成分離部１９はまた、IEEE1394インタフェース２０から入力されるIPパケットからアクセス要求等のコマンドを分離してWWWサーバ処理部２１に出力する。IEEE1394インタフェース２０は、IPパケット生成分離部１９から入力されるIPパケットを、ネットワーク２を介して、DVカメラ１にアクセスしたパソコン３に送信する。IEEE1394インタフェース２０はまた、ネットワーク２を介して、DVカメラ１が送信したアクセス要求等のコマンドを含むIPパケットを受信してIPパケット生成分離部１９に出力する。
【００１６】
WWWサーバ処理部２１は、IPパケット生成分離部１９から入力されるコマンドに対応して、記憶部２２からHTMLファイルを読み出してIPパケット生成分離部１９に出力する。WWWサーバ処理部２１はまた、IPパケット生成分離部１９から入力されるコマンドに対応する操作コマンドを制御回路１３に出力する。記憶部２２は、ホームページを構成するHTMLファイルを記憶する。当該ホームページには、リアルタイムな動画像あるいは録画されている動画像のストリーミング再生が可能である旨の表示と、その処理の開始を指令するボタンが表示される。
【００１７】
次に、図２に示したDVカメラ１の第１の構成例の動作について、図３のフローチャートを参照して説明する。ステップＳ１において、パソコン３で起動されているWWWブラウザから、ネットワーク２を介してDVカメラ１にアクセスが行われる（ホームページのHTMLファイルの送信が要求される）と、そのアクセスコマンドを含むIPパケットが、DVカメラ１のIEEE1394インタフェース２０に受信され、IPパケット生成分離部１９に供給される。
【００１８】
ステップＳ２において、IPパケット生成分離部１９は、IEEE1394インタフェース２０から入力されたIPパケットの中からアクセスコマンドを分離してWWWサーバ処理部２１に出力する。WWWサーバ処理部２１は、IPパケット生成分離部１９から入力されたアクセスコマンドに対応して記憶部２２からHTMLファイルを読み出し、IPパケット生成分離部１９に出力する。IPパケット生成分離部１９は、WWWサーバ処理部２１から入力されたHTMLファイルをIPパケット化してIEEE1394インタフェース２０に出力する。IEEE1394インタフェース２０は、IPパケット生成分離部１９から入力されたHTMLファイルのIPパケットを、ネットワーク２を介して対応するパソコン３に送信する。
【００１９】
パソコン３では、WWWブラウザにより当該HTMLファイルに対応するホームページがディスプレイに表示され、ユーザに対して動画像のストリーム再生の開始指令が促される。なお、この表示に対応して、パソコン３のユーザが、ホームページ上に表示された、リアルタイムな動画像、あるいは録画されている動画像のストリーミング再生の開始を指令するボタンを押下した場合、動画像データの送信要求が、WWWブラウザからネットワーク２を介してDVカメラ１のWWWサーバ処理部２１に送信される。
【００２０】
ステップＳ３において、WWWサーバ処理部２１は、アクセス中のパソコン３から動画像データの送信要求が行われたか否かを判定し、動画像データの送信要求が行われたと判定するまで待機する。そして、動画像データの送信要求が行われたと判定された場合、ステップＳ４に進む。ステップＳ４において、WWWサーバ処理部２１は、送信が要求された動画像データは、リアルタイムな動画像データであるのか、または、録画されている動画像データであるのかを判定し、判定結果を制御部１３に出力する。
【００２１】
ステップＳ４で、送信が要求された動画像データはリアルタイムな動画像データであると判定された場合、ステップＳ５に進む。ステップＳ５において、撮像部１１は、制御部１３の制御に従って撮像を開始し、得られた動画像信号をDVエンコーダ１２に出力する。ステップＳ６において、DVエンコーダ１２は、撮像部１１から入力された画像信号をDVフォーマットにエンコードし、得られたDV信号をIPパケット生成分離部９に出力する。
【００２２】
ステップＳ７において、IPパケット生成分離部１９は、上段から入力されたDV信号をIPパケット化してIEEE1394インタフェース２０に出力する。ステップＳ８において、IEEE1394インタフェース２０は、IPパケット生成分離部１９から入力されたIPパケットを、ネットワーク２を介して対応するパソコン３に送信する。パソコン３に供給された動画像データは、例えば、WWWブラウザの所定のプラグインアプリケーションによってデコードされ、ホームページ上の動画像表示エリア５１（図７）に表示される。
【００２３】
なお、ステップＳ４で、送信が要求された動画像データは録画された動画像データであると判定された場合、ステップＳ９に進む。ステップＳ９において、記録再生部１４は、制御部１３からの制御に従って、DVカセットテープ１５に記録されているDVデータを再生し、IPパケット生成分離部１９に出力する。
【００２４】
以上のようなサーバ処理を実行することにより、DVカメラ１で撮像中の動画像データ、あるいはDVカセットテープ１５に記録されている動画像データを、ネットワーク２を介してパソコン３に供給することが可能となる。
【００２５】
次に、図４は、DVカメラ１の第２の構成例を示している。この第２の構成例は、図２に示した第１の構成例に、回線調査部３１およびフォーマット・レート変換部３２を追加したものである。回線調査部３１は、IEEE1394インタフェース２０を介してネットワーク２の通信容量や混雑度を調査して、その結果をフォーマット・レート変換部３２に出力する。フォーマット・レート変換部３２は、回線調査部３１から入力される回線の容量等に基づいて画像データの圧縮率を決定し、圧縮率を変更可能であって、且つ、ストリーミング再生可能な符号化方式（例えば、MPEG(Moving Picture Experts  Group)２方式やReal Video（商標）方式等）により、撮像部１１またはDVデコーダ１６から入力される画像データを符号化して、IPパケット生成分離部１９に出力する。
【００２６】
図４に示したDVカメラ１の第２の構成例の動作について、図５のフローチャートを参照して説明する。ステップＳ１１において、パソコン３で起動されているWWWブラウザから、ネットワーク２を介してDVカメラ１にアクセスが行われる（ホームページのHTMLファイルの送信が要求される）と、そのアクセスコマンドを含むIPパケットが、DVカメラ１のIEEE1394インタフェース２０に受信され、IPパケット生成分離部１９に供給される。
【００２７】
ステップＳ１２において、IPパケット生成分離部１９は、IEEE1394インタフェース２０から入力されたIPパケットの中からアクセスコマンドを分離してWWWサーバ処理部２１に出力する。WWWサーバ処理部２１は、IPパケット生成分離部１９から入力されたアクセスコマンドに対応して記憶部２２からHTMLファイルを読み出し、IPパケット生成分離部１９に出力する。IPパケット生成分離部１９は、WWWサーバ処理部２１から入力されたHTMLファイルをIPパケット化してIEEE1394インタフェース２０に出力する。IEEE1394インタフェース２０は、IPパケット生成分離部１９から入力されたHTMLファイルのIPパケットを、ネットワーク２を介して対応するパソコン３に送信する。
【００２８】
パソコン３では、WWWブラウザにより当該HTMLファイルの対応するホームページが表示され、ユーザに対して動画像のストリーム再生の開始指令が促される。なお、この促しに対応して、パソコン３のユーザが、ホームページ上に表示された、リアルタイムな動画像、あるいは録画されている動画像のストリーム再生の開始を指令するボタンを押下した場合、動画像データの送信要求が、WWWブラウザからネットワーク２を介してDVカメラ１のWWWサーバ処理部２１に送信される。
【００２９】
ステップＳ１３において、WWWサーバ処理部２１は、アクセス中のパソコン３から動画像データの送信要求が行われたか否かを判定し、動画像データの送信要求が行われたと判定するまで待機する。そして、動画像データの送信要求が行われたと判定された場合、ステップＳ１４に進む。ステップＳ１４において、WWWサーバ処理部２１は、送信が要求された動画像データは、リアルタイムな動画像データであるのか、または、録画されている動画像データであるのかを判定し、判定結果を制御部１３に出力する。
【００３０】
ステップＳ１４で、送信が要求された動画像データはリアルタイムな動画像データであると判定された場合、ステップＳ１５に進む。ステップＳ１５において、撮像部１１は、制御部１３の制御に従って撮像を開始し、得られた動画像信号をフォーマット・レート変換部３２に出力する。
【００３１】
ステップＳ１６において、回線調査部３１は、IEEE1394インタフェース２０を介してネットワーク２の通信容量や混雑度を調査して、その結果をフォーマット・レート変換部３２に出力する。ステップＳ１７において、フォーマット・レート変換部３２は、回線調査部３１から入力された回線の容量等に基づいて画像データの圧縮率を決定し、その圧縮率を用いて所定の符号化方式により、上段から入力された動画像データを符号化して、IPパケット生成分離部１９に出力する。
【００３２】
ステップＳ１８において、IPパケット生成分離部１９は、フォーマット・レート変換部３２から入力された、符号化された動画像データをIPパケット化してIEEE1394インタフェース２０に出力する。ステップＳ８において、IEEE1394インタフェース２０は、IPパケット生成分離部１９から入力されたIPパケットを、ネットワーク２を介して対応するパソコン３に送信する。パソコン３に供給された動画像データは、例えば、WWWブラウザの所定のプラグインアプリケーションによってデコードされ、ホームページ上の動画像表示エリア５１に表示される。
【００３３】
なお、ステップＳ１４で、送信が要求された動画像データは録画された動画像データであると判定された場合、ステップＳ２０に進む。ステップＳ２０において、記録再生部１４は、制御部１３からの制御に従って、DVカセットテープ１５に記録されているDVデータを再生し、DVデコーダ１６に出力する。ステップＳ２０において、DVデコーダ２１は、記録再生部１４から入力されたDV信号をデコードし、得られた動画像データをフォーマット・レート変換部３２に出力する。
【００３４】
以上のようなサーバ処理を実行することにより、例えば、ネットワーク２の通信容量が小さかったり、回線が混雑しているときには、圧縮率を上げて通信する符号量を減少させ、ネットワーク２の通信容量が大きく回線が空いているときには、圧縮率を下げて通信する動画像の質を向上させる等、ネットワーク２の状況に対応して動画像データのパソコン３に供給することが可能となる。
【００３５】
次に、図６は、DVカメラ１の第３の構成例を示している。この第３の構成例は、図２に示した第１の構成例に、回線調査部４１を追加したものである。回線調査部４１は、適宜、IEEE1394インタフェース２０を介してネットワーク２の通信容量や混雑度を調査して、その結果を制御部１３に出力する。制御部１３は、回線調査部４１から入力される回線の容量等に基づいて、主に記録再生部１４を制御してDVカセットテープ１５の再生速度を調整する。
【００３６】
DVカメラ１の第３の構成例によれば、例えば、ネットワーク２の通信容量が小さかったり、回線が混雑している場合、記録再生部１４ではDVカセットテープ１５の再生速度を遅くして、IPパケット生成分離部１９へのDVデータの転送速度を低下させる。これにともなって、Pパケット生成分離部１９以降の各部においても転送レートが低下するので、ネットワーク２において適切な転送レートで動画像データを通信することが可能となる。
【００３７】
図７は、DVカメラ１からネットワークを介してパソコン３に供給されたホームページのHTMLファイルおよび動画像データが、パソコン３で起動されるWWWブラウザおよびそのプラグインアプリケーションによって処理され、ディスプレイに表示された表示例を示している。同図に示すように、WWWブラウザのウィンドウには、動画像表示エリア５１が設けられ、そこに動画像が表示される。同図に示すように、ホームページの画面上に、DVカメラ１に対するコマンド（ズーミング、再生、巻き戻し、早送り、予約録画等）を指示する操作ボタン５２を設けて、操作ボタン５２へのクリック等に対応して、パソコン３の画面上からネットワーク２を介して接続しているDVカメラ１を制御できるようにしてもよい。
【００３８】
なお、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアとしてのDVカメラ１に組み込まれているコンピュータ、または、各種のプログラムをインストールすることで、各種の機能を実行することが可能な、例えば汎用のパーソナルコンピュータなどにインストールされる。
【００３９】
次に、図８を参照して、上述した一連の処理を実行するプログラムをコンピュータにインストールし、コンピュータによって実行可能な状態とするために用いられる媒体について説明する。
【００４０】
プログラムは、図８(A)に示すように、コンピュータ１０１に内蔵されている記録媒体としてのハードディスク１０２や半導体メモリ１０３に予めインストールした状態でユーザに提供することができる。
【００４１】
あるいはまた、プログラムは、図８(B)に示すように、フロッピーディスク１１１、CD-ROM(Compact Disc-Read Only Memory)１１２、ＭＯ(Magneto Optical)ディスク１１３、DVD(Digital Versatile Disc)１１４、磁気ディスク１１５、半導体メモリ１１６などの記録媒体に、一時的あるいは永続的に格納し、パッケージソフトウエアとして提供することができる。
【００４２】
さらに、プログラムは、図８(C)に示すように、ダウンロードサイト１２１から、無線で衛星１２２を介して、コンピュータ１２３に転送したり、ローカルエリアネットワーク、インターネットといったネットワーク１３１を介して、有線または無線でコンピュータ１２３に転送し、コンピュータ１２３において、内蔵するハードディスクなどに格納させることができる。
【００４３】
本明細書における媒体とは、これら全ての媒体を含む広義の概念を意味するものである。
【００４４】
また、本明細書において、媒体により提供されるプログラムを記述するステップは、記載された順序に従って時系列的に行われる処理はもちろん、必ずしも時系列的に処理されなくとも、並列的あるいは個別に実行される処理をも含むものである。
【００４５】
なお、本明細書において、システムとは、複数の装置により構成される装置全体を表すものである。
【００４６】
【発明の効果】
以上のように、本発明によれば、DVカメラをネットワーク上のWWWサーバとして機能させることが可能となる。
【図面の簡単な説明】
【図１】本発明を適用したDVカメラ１について説明するための図である。
【図２】  DVカメラ１の第１の構成例を示すブロック図である。
【図３】  DVカメラ１の第１の構成例の動作を説明するフローチャートである。
【図４】  DVカメラ１の第２の構成例を示すブロック図である。
【図５】  DVカメラ１の第１の構成例の動作を説明するフローチャートである。
【図６】  DVカメラ１の第３の構成例を示すブロック図である。
【図７】  DVカメラ１が出力するHTMLファイルの表示例を示す図である。
【図８】プログラムをコンピュータにインストールし、実行可能な状態とするために用いられる媒体について説明するための図である。
【符号の説明】
１  DVカメラ，  ２  ネットワーク，  ３  パーソナルコンピュータ，  １９  IPパケット生成分離部，  ２０  IEEE1394インタフェース，  ２１  WWWサーバ処理部，  ３１  回線調査部，  ３２  フォーマット・レート変換部，  ４１回線調査部，  ５２  操作ボタン
【図１】
0004300443.tif 000002
【図２】
0004300443.tif 000003
【図３】
0004300443.tif 000004
【図４】
0004300443.tif 000005
【図５】
0004300443.tif 000006
【図６】
0004300443.tif 000007
【図７】
0004300443.tif 000008
【図８】
0004300443.tif 000009